(57)【要約】【課題】本発明は放送システムを用いて電子装置を制御する。また、放送システムの変更を最小化して放送システムおよび電子装置を連動させる。【解決手段】放送システムを用いて電子装置を制御する技術が開示される。制御信号は可聴周波数帯域に変調し、放送システムを用いて送信装置から受信装置に送信される。受信装置は可聴周波数帯域の制御信号を再生し、制御装置は制御信号に応じる動作を行う。【選択図】図１
2011082981.tif 000002
【特許請求の範囲】
【請求項１】
制御信号を可聴周波数内の周波数帯域に変調する変調部と、
前記変調した制御信号を音声信号と合成して音声合成信号を生成する合成部と、
前記音声合成信号を受信装置に送信する送信部と、を含み、
前記受信装置は前記音声合成信号を再生し、
前記制御信号は、前記再生した音声合成信号から抽出されて電子装置を制御するために用いられることを特徴とする送信装置。
【請求項２】
前記合成部は、前記音声信号のレベルが所定のレベル以上である場合に、前記変調した制御信号を前記音声信号と合成することを特徴とする請求項１に記載の送信装置。
【請求項３】
前記合成部は、前記音声信号のレベルが所定の時間以上および前記所定のレベル以上である場合に、前記変調した制御信号を前記音声信号と合成することを特徴とする請求項２に記載の送信装置。
【請求項４】
前記変調部は、前記制御信号をＦＳＫ、ＡＳＫ、ＱＡＭ、ＰＳＫ、ＣＰＭ、ＴＣＭ、ＯＦＤＭおよび拡散帯域方式のうちの少なくとも１つ以上の変調方式にしたがって変調することを特徴とする請求項１に記載の送信装置。
【請求項５】
前記制御信号は、前記音声合成信号が送信されるチャネルに応じて決定され、前記電子装置は、前記制御信号を用いて前記チャネルを識別することを特徴とする請求項１に記載の送信装置。
【請求項６】
前記合成部は前記音声合成信号を映像信号と追加的に合成し、前記制御信号は前記映像信号の特定時点における映像と関連する制御情報を含むことを特徴とする請求項１に記載の送信装置。
【請求項７】
前記映像信号は特定の物品に対するホームショッピング映像であり、前記制御情報は前記特定の物品に対する購買情報であることを特徴とする請求項６に記載の送信装置。
【請求項８】
前記送信部は、前記音声合成信号を周期的に送信することを特徴とする請求項１に記載の送信装置。
【請求項９】
受信装置が再生する音声合成信号を受信するマイクと、
前記音声合成信号から可聴周波数帯域に変調した制御信号を抽出するフィルタ部と、
前記制御信号を復調する復調部と、
前記復調された制御信号に応じて動作を行う制御部と、を含み、
前記音声合成信号は送信装置から前記受信装置に送信されることを特徴とする電子装置。
【請求項１０】
前記フィルタ部は、ハイパスフィルタを用いて前記制御信号を抽出することを特徴とする請求項９に記載の電子装置。
【請求項１１】
前記復調部は、前記制御信号をＦＳＫ、ＡＳＫ、ＱＡＭ、ＰＳＫ、ＣＰＭ、ＴＣＭ、ＯＦＤＭおよび拡散帯域方式のうちの少なくとも１つ以上の変調方式にしたがって復調することを特徴とする請求項９に記載の送信装置。
【請求項１２】
前記受信装置は、前記音声合成信号と関連するホームショッピング映像を再生し、前記制御信号は、前記ホームショッピング映像に対応する物品購買情報を含むことを特徴とする請求項９に記載の電子装置。
【請求項１３】
前記受信装置はチャネルを用いて前記音声合成信号を受信し、前記制御信号は前記チャネルに応じて決定することを特徴とする請求項９に記載の電子装置。
【請求項１４】
送信部をさらに含み、前記制御部は前記制御信号を用いて前記チャネルを識別し、前記送信部は前記識別されたチャネルに関する情報をサーバに送信することを特徴とする請求項１３に記載の電子装置。
【請求項１５】
電子装置において、
音声信号と合成された可聴周波数帯域の制御信号を受信するマイクと、
前記音声信号から前記制御信号を抽出する制御信号抽出部と、
制御部と、を含み、
前記制御信号は、装置識別子、制御コマンドおよび制御データを含み、
前記装置識別子と前記電子装置の識別子が同一の場合に、前記制御部は前記制御データを参照して前記制御コマンドによる制御動作を行うことを特徴とする電子装置。
【請求項１６】
前記制御データはインターネットアドレスであり、前記制御コマンドは前記インターネットアドレスに接続するコマンドであることを特徴とする請求項１５に記載の電子装置。
【請求項１７】
前記制御データは物品に対する購買情報であり、前記制御コマンドは前記購買情報を表示するコマンドであることを特徴とする請求項１５に記載の電子装置。
【発明の詳細な説明】
【技術分野】
【０００１】
本発明は、電子装置を制御する技術に関し、より詳細には、放送信号中の音声信号に電子装置を制御する制御信号を合成する技術に関する。
【背景技術】
【０００２】
従来の放送システムにおける送信装置は、映像または音声を受信装置へ一方的に送信する。受信装置は、映像または音声を受信し、これを再生して視聴者が映像または音声を鑑賞できるようにする。
【０００３】
すなわち、従来の放送システムは、映像または音声を単に送信装置から受信装置に送信するだけであって、受信装置周辺の電子装置を制御するための制御チャネルを含んでいない。したがって、受信装置周辺の電子装置を制御するためには制御チャネルを新しく定義するか、あるいは別の制御手段を備えるなど放送システムの全般を改善しなければならないという問題がある。
【発明の概要】
【発明が解決しようとする課題】
【０００４】
本発明の目的は、放送システムを用いて電子装置を制御することにある。
【０００５】
本発明の他の目的は、放送システムの変更を最小化して放送システムおよび電子装置を連動させることにある。
【課題を解決するための手段】
【０００６】
本発明は、前述した問題点を解決するために、制御信号を可聴周波数内の周波数帯域に変調する変調部と、前記変調した制御信号を音声信号と合成して音声合成信号を生成する合成部と、前記音声合成信号を受信装置に送信する送信部とを含み、前記受信装置は前記音声合成信号を再生し、前記制御信号は、前記再生した音声合成信号から抽出されて電子装置を制御するために用いられる送信装置を提供する。
【０００７】
本発明の一側によれば、受信装置が再生する音声合成信号を受信するマイクと、前記音声合成信号から可聴周波数帯域に変調した制御信号を抽出するフィルタ部と、前記制御信号を復調する復調部と、前記復調された制御信号に応じて動作を行う制御部とを含み、前記音声合成信号は送信装置から前記受信装置に送信される電子装置が提供される。
【０００８】
本発明の更なる一側によれば、電子装置において、音声信号と合成された可聴周波数帯域の制御信号を受信するマイクと、前記音声信号から前記制御信号を抽出する制御信号抽出部と、制御部とを含み、前記制御信号は、装置識別子、制御コマンドおよび制御データを含み、前記装置識別子と前記電子装置の識別子が同一の場合に、前記制御部は前記制御データを参照して前記制御コマンドによる制御動作を行う電子装置が提供される。
【発明の効果】
【０００９】
本発明によれば、放送システムを用いて電子装置を制御することができる。
【００１０】
また、本発明によれば、放送システムの変更を最小化して放送システムと電子装置を連動することができる。
【図面の簡単な説明】
【００１１】
【図１】本発明に係る音声合成信号の波形を示す図である。
【図２】本発明に係る音声合成信号のスペクトルを示す図である。
【図３】本発明の一実施形態に係る送信装置の構造を示すブロック図である。
【図４】本発明の一実施形態に係る電子装置の構造を示すブロック図である。
【図５】本発明の他の実施形態に係る電子装置の構造を示すブロック図である。
【発明を実施するための形態】
【００１２】
図１は、本発明に係る音声合成信号の波形を示す図である。
【００１３】
本発明に係る送信装置は、従来の放送システムが送信する音声信号と電子装置を制御するための制御信号を合成して音声合成信号を生成する。
【００１４】
放送局の放送システムが本発明における送信装置として用いられてもよく、家庭内のＴＶ、ラジオなどが本発明における受信装置として用いられてもよい。
【００１５】
音声信号１０１はアナログ信号であって、人が聞くことのできる可聴周波数の信号である。例えば、ＴＶドラマの台詞、音楽、大衆歌謡などを伝達するＴＶのオーディオ信号、ラジオ信号などが本発明の音声信号として用いられてもよい。音声信号１０１は音量の高／低によって複雑な波形を示す。音声信号１０１は不規則であり、特定の瞬間では大きい波形、他の瞬間では小さい波形を示す。
【００１６】
一方、制御信号１１０、１２０、１３０はデジタル信号として「０」、「１」と表現されてもよい。制御信号１１０、１２０、１３０は可聴周波数帯域に変調されて音声信号１０１と合成されてもよい。
【００１７】
音声合成信号は、音声信号１０１と制御信号１１０、１２０、１３０を合成して生成される。一実施形態によれば、音声合成信号は図１に示すように２つの信号を加えて生成してもよい。
【００１８】
音声合成信号１４０、１５０、１６０は音声信号１０１の波形と類似の波形を見せているが、制御信号１１０、１２０、１３０に対応する部分１４０、１５０、１６０は制御信号１１０、１２０、１３０との合成によって振幅が増加する。
【００１９】
図２は、本発明に係る音声合成信号のスペクトルを示す図である。
【００２０】
音声信号のスペクトル２１０と制御信号のスペクトル２２０は全て可聴周波数２５０内に位置する。受信装置は、可聴周波数内の特定の周波数帯域２３０の信号のみを再生してもよいが、音声信号の制御信号のスペクトル２１０、２２０は全て受信装置が再生できる範囲内に位置する。したがって、視聴者または聴取者は音声信号と制御信号を全て聞くことができる。受信装置のスピーカは周波数帯域２３０内の音を再生してもよい。したがって、制御信号は受信装置のスピーカを用いて再生してもよい。視聴者または聴取者が制御信号を聞けば、これを雑音として感じることがある。
【００２１】
人の可聴周波数内でも、人は特定範囲の周波数帯域２４０内の音は確かに聞けるが、他の周波数帯域の音は正確に聞くことができない。本明細書では、その特定範囲の周波数帯域を簡単に関心周波数帯域２４０という。制御信号２２０は可聴周波数帯域２５０内には位置しているが、関心周波数帯域２４０には含まれていない。したがって、音に鈍感な一般人は制御信号２２０をほとんど聞くことができず、音に敏感な子供などのみが制御信号２２０を微細に感じることができる。
【００２２】
本発明の一実施形態によれば、送信装置はマスキングを用いて制御信号２２０を送信してもよい。マスキングは人の聴覚知覚の特性を用いるものであって、音声圧縮技法などに広く用いられている。マスキングを用いれば、送信装置は音声信号のサイズが所定のレベル以上である場合に、制御信号を挿入してもよい。視聴者または聴取者は、音声信号に集中しているため制御信号を聞くことができない。
【００２３】
本発明の更なる実施形態によれば、音声信号のサイズが所定のレベル以上である場合が所定の時間以上に続くことができる。この場合にも、制御信号を送信しなければ、電子装置は所定の時間以上に続いて制御信号を受信することができない。したがって、送信装置は音声信号が所定のレベル以上である場合が所定の時間以上に続けば、音声信号のレベルと関係なく制御信号を送信することができる。
【００２４】
図３は、本発明の一実施形態に係る送信装置の構造を示すブロック図である。
【００２５】
本発明の一実施形態に係る送信装置３００は、変調部３１０、合成部３２０および送信部３３０を含む。
【００２６】
変調部３１０は、制御信号３１１を可聴周波数内の周波数帯域に変調する。一側によれば、変調部３１０は、制御信号３１１をＦＳＫ、ＡＳＫ、ＱＡＭ、ＰＳＫ、ＣＰＭ（Ｃｏｎｔｉｎｕｏｕｓ  Ｐｈａｓｅ  Ｍｏｄｕｌａｔｉｏｎ、連続位相変調）、ＴＣＭ（Ｔｒｅｌｌｉｓ  Ｃｏｄｅｄ  Ｍｏｄｕｌａｔｉｏｎ、格子符号変調）、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、直交周波数分割多重化）および拡散帯域方式のうちの少なくとも１つ以上の変調方式にしたがって変調してもよい。例えば、変調部３１０が制御信号３１１をＦＳＫ方式に変調する場合、制御信号３１１の値が「０」であれば変調部３１０は制御信号３１１を第１周波数に変調し、制御信号３１１の値が「１」であれば変調部３１０は制御信号３１１を第２周波数に変調してもよい。
【００２７】
合成部３２０は、変調した制御信号３１１を音声信号３２１と合成して音声合成信号を生成する。一実施形態によれば、合成部３２０は、マスキング技法を用いて変調した制御信号３１１と音声信号３２１を合成してもよい。マスキング技法は、人の知覚特性を用いた合成技法として、人が聞くことが困難な周波数帯域に制御信号３１１を挿入したり、音声信号３２１の音量が大きい区間に制御信号３１１を挿入する合成技法である。
【００２８】
本発明の一側によれば、合成部３２０は、音声信号３２１のレベルが所定のレベル以上である場合に、変調された制御信号３１１を音声信号３２１と合成してもよい。
【００２９】
音声信号３２１のサイズが所定のレベル以上である場合が所定の時間以上に続いてもよい。この場合にも、制御信号３１１を送信しなければ、電子装置は所定の時間以上に続いて制御信号３１１を受信することができない。したがって、本発明の他の側面によれば、合成部３２０は音声信号３２１が所定のレベル以上である場合が所定の時間以上続けば、音声信号３２１のレベルと関係なく制御信号３１１を合成することができる。
【００３０】
本発明の更なる側面によれば、合成部３２０は人の可聴周波数帯域の中で人が容易に聞くことのできない周波数帯域に制御信号を挿入してもよい。この場合に、制御信号は音声信号よりも高い周波数帯域に位置してもよい。
【００３１】
送信部３３０は、音声合成信号をネットワーク３４０を経由して受信装置３５０、３６０に送信する。受信装置３５０、３６０は音声合成信号を再生する。聴取者または視聴者は音声合成信号に含まれた音声信号を聞くことができる。一部敏感な聴取者または敏感な視聴者は音声合成信号に含まれた制御信号を雑音として聞こえる場合がある。
【００３２】
電子装置３７０は、受信装置３５０、３６０が再生した音声合成信号を受信する。一実施形態によれば、電子装置３７０は、マイクを用いて受信装置３５０、３６０が再生した音声合成信号を受信してもよい。
【００３３】
電子装置３７０は音声合成信号で制御信号を抽出し、制御信号によって所定の制御動作を行う。
【００３４】
一側によれば、送信部３３０は、複数のチャネルのうちのいずれか１つのチャネルを選択して音声合成信号を受信装置３５０、３６０に送信してもよい。この場合、制御信号３１１は音声合成装置が送信されるチャネルに応じて決定してもよい。電子装置３７０は、制御信号を用いて音声合成信号が送信されるチャネルを識別してもよい。この場合、電子装置は、音声合成信号が送信されたチャネルに関する情報をサーバに送信してもよい。
【００３５】
例えば、電子装置３７０は視聴率調査装置であってもよい。この場合、各送信装置は、特定の放送局に割り当てられたチャネルを用いて音声合成信号を送信する。音声合成信号に含まれた制御信号は、特定の放送局に割り当てられたチャネルに応じて送信される。視聴率調査装置は、ＴＶ３５０またはラジオ３６０で再生する音声合成信号を受信し、音声合成信号に含まれた制御信号を用いてＴＶ３５０またはラジオ３６０が受信する放送のチャネルを識別する。視聴率調査装置は、識別されたチャネルに関する情報を視聴率調査サーバに送信してもよい。この場合に、送信部３３０は、制御信号を周期的に受信装置３５０、３６０に送信してもよい。
【００３６】
他の側面によれば、合成部３２０は、音声合成信号を映像信号３３１と追加的に合成してもよい。この場合、制御信号は、映像信号の特定時点における映像と関連する制御情報を含んでもよい。
【００３７】
更なる側面によれば、映像信号は歌手のコンサート映像であってもよい。この場合、制御信号は、歌手が特定の動作を取る瞬間に照明装置が動作するように制御する制御情報を含んでもよい。
【００３８】
更なる側面によれば、映像信号は特定の物品に対するホームショッピング映像であってもよい。この場合、制御情報はホームショッピングの対象となる物品の購買情報であってもよい。電子装置は、物品の購買情報を参照してインターネット上の物品購買ページに接続してもよい。
【００３９】
図４は、本発明の一実施形態に係る電子装置の構造を示すブロック図である。
【００４０】
本発明の一実施形態に係る電子装置４００は、マイク４１０、フィルタ部４２０、復調部４３０、制御部４４０および送信部４５０を含んでもよい。
【００４１】
送信装置４６０は、音声合成信号を受信装置４７０、４８０に送信する。音声合成信号は音声信号および制御信号を含む。
【００４２】
マイク４１０は、受信装置４７０、４８０が再生する音声合成信号を受信する。
【００４３】
フィルタ部４２０は、音声合成信号から可聴周波数帯域に変調した制御信号を抽出する。一側によれば、可聴周波数帯域に変調した制御信号は音声合成信号の中で高い周波数帯域に位置し、音声信号は音声合成信号の中で低い周波数帯域に位置してもよい。この場合、フィルタ部４２０は、ハイパスフィルタ（ｈｉｇｈ  ｐａｓｓ  ｆｉｌｔｅｒ）を用いて可聴周波数帯域に変調した制御信号を抽出することができる。
【００４４】
復調部４３０は制御信号を復調する。一側によれば、復調部４３０は、ＦＳＫ、ＡＳＫ、ＱＡＭ、ＰＳＫ、ＣＰＭ（Ｃｏｎｔｉｎｕｏｕｓ  Ｐｈａｓｅ  Ｍｏｄｕｌａｔｉｏｎ、連続位相変調）、ＴＣＭ（Ｔｒｅｌｌｉｓ  Ｃｏｄｅｄ  Ｍｏｄｕｌａｔｉｏｎ、格子符号変調）、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、直交周波数分割多重化）および拡散帯域方式のうちのいずれか１つの変調方式にしたがって復調してもよい。
【００４５】
制御部４４０は、復調された制御信号によって動作を行う。
【００４６】
一側によれば、電子装置４００は視聴率調査装置であってもよい。この場合、送信装置４６０は、複数のチャネルのうちのいずれか１つのチャネルを選択して制御信号を送信し、制御信号は音声合成信号が送信されるチャネルに応じて決定してもよい。制御部４４０は、制御信号を用いて音声合成信号が送信されるチャネルを識別してもよい。送信部４５０は、識別されたチャネルに関する情報をネットワーク４９１を用いて視聴率調査サーバ４９０に送信してもよい。
【００４７】
他の側面によれば、受信装置４７０、４８０はホームショッピング映像を再生してもよい。受信装置４７０、４８０は、ホームショッピング映像と関連する音声合成信号に含まれた制御信号を受信して再生してもよい。この場合、制御信号は、ホームショッピング映像の対象である物品に対する物品購買情報を含んでもよい。制御部４４０は、物品の購買情報を参照してインターネット上の物品購買ページに接続してもよい。
【００４８】
図５は、本発明の他の実施形態に係る電子装置の構造を示すブロック図である。
【００４９】
本発明に係る電子装置５００は、マイク５１０、制御信号抽出部５２０、制御部５３０、および送信部５４０を含んでもよい。
【００５０】
送信装置５６０は制御信号を可聴周波数帯域に変調し、変調した制御信号を音声信号と合成する。受信装置５５０は音声合成信号を受信し、受信された音声合成信号を再生する。
【００５１】
マイク５１０は、音声信号と合成された可聴周波数帯域の制御信号を受信する。制御信号は、可聴周波数帯域に位置するため聴取者または視聴者は制御信号を聞くことができる。一側によれば、制御信号はマスキング技法を用いて音声信号と合成されてもよい。音声信号のサイズが所定のレベル以上である場合のみ音声信号と制御信号が合成されれば、視聴者または聴取者は制御信号をほとんど感じられないことがある。
【００５２】
他の側面によれば、制御信号は人が聞き難い高周波帯域に位置してもよい。この場合、女性または子供などのみが制御信号を微細に感じることができ、一般人は制御信号をほとんど感じることはできない。
【００５３】
制御信号抽出部５２０は音声信号から制御信号を抽出する。一側によれば、制御信号は音声信号よりも高周波帯域に位置し、制御信号抽出部５２０はハイパスフィルタを用いて音声合成信号の中で制御信号を抽出することができる。
【００５４】
一実施形態によれば、制御信号は、装置識別子、制御コマンドおよび制御データを含んでもよい。制御部５３０は、制御信号に含まれた装置識別子と電子装置５００の装置識別子を比較する。もし、制御信号に含まれた装置識別子と電子装置５００の装置識別子が同一の場合、制御部５３０は、制御データを参照して制御コマンドによる制御動作を行なってもよい。
【００５５】
一側によれば、制御信号に含まれた装置識別子はインターネットの接続が可能な装置を意味してもよい。制御部５３０は、制御信号に含まれた装置識別子と電子装置５００の装置識別子を比較する。もし、電子装置５００がインターネットの接続が可能であれば、制御部５３０は制御信号に含まれた装置識別子と電子装置５００の装置識別子が同一であると判断してもよい。制御信号に含まれた制御データはインターネットアドレスであり、制御コマンドは制御データに相応するインターネットアドレスに接続するコマンドであってもよい。この場合に、制御部５３０は制御データに相応するインターネットアドレスに接続してもよい。
【００５６】
他の側面によれば、制御信号に含まれた装置識別子は情報を表示する装置を意味してもよい。制御部５３０は制御信号に含まれた装置識別子と電子装置５００の装置識別子を比較する。もし、電子装置５００が制御データを表示することができれば、制御部５３０は、制御信号に含まれた装置識別子と電子装置５００の装置識別子が同一であると判断してもよい。この場合、制御部５３０は物品に対する購買情報の制御データを表示することができる。
【００５７】
更なる側面によれば、制御信号に含まれた装置識別子は視聴率調査装置を意味してもよい。制御部５３０は電子装置５００が視聴率調査機能を備えているか否かを判断し、その結果に応じて、制御信号に含まれた装置識別子と電子装置５００の装置識別子が同一であると判断することができる。この場合に、制御部５３０は、制御信号に基づいて受信装置５５０が音声合成信号を送信装置５６０から受信するチャネルを識別する。送信部５４０は、チャネルに関する情報をネットワーク５７０を用いて視聴率調査サーバ５８０に送信する。
【図１】
2011082981.tif 000003
【図２】
2011082981.tif 000004
【図３】
2011082981.tif 000005
【図４】
2011082981.tif 000006
【図５】
2011082981.tif 000007